(57)【要約】【課題】距離センサを使用しなくても、サイズ測定の対象となる被写体とこの測定対象と比較される基準対象の被写体との前後関係（遠近関係）を考慮しながら撮影画像を解析することによって測定対象の実サイズを測定できるようにする。【解決手段】カメラ撮影部７によって撮影されたモニタ画像内の被写体が測定対象として指定されていると共に、このモニタ画像内に存在する複数の他の被写体が基準対象として指定されている状態において、ＣＰＵ１は、モニタ画像内において測定対象と複数の基準対象との間における前後方向の遠近距離をそれぞれ計測すると共に、指定された複数の基準対象毎にその実サイズを取得し、更に、モニタ画像を解析することによって測定対象、基準対象毎にその画像サイズを算出し、この各算出サイズと各遠近距離と各基準対象の実サイズに基づいて測定対象の実サイズを算出する。【選択図】  図1  
2005189051.tif 000002
【特許請求の範囲】
【請求項１】
撮影画像の中に含まれている被写体の実サイズを測定するサイズ測定装置であって、
撮影画像内の被写体をサイズ測定の対象となる測定対象として指定する他、この撮影画像内に存在する複数の他の被写体を前記測定対象と比較される基準対象として指定する指定手段と、
撮影画像内において前記指定された測定対象と複数の基準対象との間における前後方向の遠近距離をそれぞれ計測する計測手段と、
前記指定された複数の基準対象毎にその実サイズを取得する取得手段と、
撮影画像を解析することによって測定対象、基準対象毎にその画像サイズを算出すると共に、この各算出サイズと各遠近距離と各基準対象の実サイズに基づいて測定対象の実サイズを算出する算出手段と、
を具備したことを特徴とするサイズ測定装置。
【請求項２】
前記指定手段は、撮影画像を解析することによってその中心部分に位置している画像部分を測定対象として指定する、
ようにしたことを特徴とする請求項1記載のサイズ測定装置。
【請求項３】
前記指定手段は、撮影画像内に含まれている各被写体のうち、予め記憶管理されている複数種の基準対象の何れかに特徴的に一致する複数の被写体を検索することによって、少なくとも２つの基準対象を指定する、
ようにしたことを特徴とする請求項1記載のサイズ測定装置。
【請求項４】
前記指定手段は、撮影画像が展開されている平面座標系においてその縦方向の位置が相違して遠近の関係にある２つの基準対象を指定する、
ようにしたことを特徴とする請求項３記載のサイズ測定装置。
【請求項５】
前記指定手段は、遠近関係にある２つの基準対象を指定する際に、同一の基準対象あるいは略同一サイズを持った基準対象をそれぞれ指定する、
ようにしたことを特徴とする請求項３記載のサイズ測定装置。
【請求項６】
前記計測手段は、測定対象と複数の基準対象との間における前後方向の遠近距離を計測する際に、撮影画像が展開されている平面座標系においてその縦方向の垂直成分を遠近距離として計測する、
ようにしたことを特徴とする請求項１記載のサイズ測定装置。
【請求項７】
前記計測手段は、遠近関係にある２つの基準対象のうち、その一方の基準対象と測定対象との間の遠近距離および他方の基準対象と測定対象との間の遠近距離を計測するか、一方の基準対象と測定対象との間の遠近距離および各基準対象間の遠近距離を計測する、
ようにしたことを特徴とする請求項６記載のサイズ測定装置。
【請求項８】
予め複数種の基準対象に対応してその実サイズが記憶管理されている状態において、前記取得手段は、前記指定された基準対象に対応する実サイズを読み出し取得する、
ようにしたことを特徴とする請求項1記載のサイズ測定装置。
【請求項９】
撮影画像を解析することによって前記指定された測定対象と複数の基準対象との前後関係を判別する判別手段を設け、
この判別手段によって判別された前後関係に対応する計算式に従って前記算出手段は、測定対象の実サイズを算出する、
ようにしたことを特徴とする請求項1記載のサイズ測定装置。
【請求項１０】
測定対象が含まれている撮影画像が表示されている状態において、この撮影画像内に当測定対象に対応付けてその実サイズを表示する、
ようにしたことを特徴とする請求項1記載のサイズ測定装置。
【請求項１１】
コンピュータに対して、
撮影画像内の被写体をサイズ測定の対象となる測定対象として指定する他、この撮影画像内に存在する複数の他の被写体を前記測定対象と比較される基準対象として指定する機能と、
撮影画像内において前記指定された測定対象と複数の基準対象との間における前後方向の遠近距離をそれぞれ計測する機能と、
前記指定された複数の基準対象毎にその実サイズを取得する機能と、
撮影画像を解析することによって測定対象、基準対象毎にその画像サイズを算出すると共に、この各算出サイズと各遠近距離と各基準対象の実サイズに基づいて測定対象の実サイズを算出する機能と、
を実現させるためのプログラム。
【請求項１２】
撮影画像の中に含まれている被写体の実サイズを測定するサイズ測定装置であって、
撮影画像内の被写体をサイズ測定の対象となる測定対象として指定する他、この測定対象と比較される基準対象を指定する指定手段と、
撮影画像を解析することによって前記指定された測定対象と基準対象とが撮影画像内において前後関係にあるかを判別する判別手段と、
この判別手段によって前後関係がないことが判別された場合には、基準対象の実サイズを取得すると共に、撮影画像を解析することによって測定対象、基準対象毎にその画像サイズを算出し、この各算出サイズと基準対象の実サイズに基づいて当該測定対象の実サイズを算出する第1の算出手段と、
前記判別手段によって前後関係があることが判別された場合には、撮影画像内において前記指定された測定対象と基準対象との間における前後方向の遠近距離をそれぞれ計測し、基準対象毎にその実サイズを取得し、撮影画像を解析することによって測定対象、基準対象毎にその画像サイズを算出し、この各算出サイズと各遠近距離と基準対象の実サイズに基づいて測定対象の実サイズを算出する第２の算出手段と、
を具備したことを特徴とするサイズ測定装置。
【請求項１３】
前記指定手段は、撮影画像内に含まれている各被写体のうち、予め記憶管理されている複数種の基準対象の何れかに特徴的に一致する被写体の画像部分を基準対象として指定する、
ようにしたことを特徴とする請求項１０記載のサイズ測定装置。
【請求項１４】
撮影画像を解析することによって前記指定された測定対象と基準対象との前後関係を判別し、この前後関係に対応する計算式に従って前記算出手段は、測定対象の実サイズを算出する、
ようにしたことを特徴とする請求項１０記載のサイズ測定装置。
【請求項１５】
コンピュータに対して、
撮影画像内の被写体をサイズ測定の対象となる測定対象として指定する他、この測定対象と比較される基準対象を指定する機能と、
撮影画像を解析することによって前記指定された測定対象と基準対象とが撮影画像内において前後関係にあるかを判別する機能と、
前後関係がないことが判別された場合には、基準対象の実サイズを取得すると共に、撮影画像を解析することによって測定対象、基準対象毎にその画像サイズを算出し、この各算出サイズと基準対象の実サイズに基づいて当該測定対象の実サイズを算出する機能と、
前後関係があることが判別された場合には、撮影画像内において前記指定された測定対象と基準対象との間における前後方向の遠近距離をそれぞれ計測し、基準対象毎にその実サイズを取得し、撮影画像を解析することによって測定対象、基準対象毎にその画像サイズを算出し、この各算出サイズと各遠近距離と基準対象の実サイズに基づいて測定対象の実サイズを算出する機能と、
を実現させるためのプログラム。
【発明の詳細な説明】
【技術分野】
【０００１】
この発明は、撮影画像の中に含まれている被写体の実サイズを測定するサイズ測定装置およびプログラムに関する。
【背景技術】
【０００２】
従来、カメラ撮影によって被写体のサイズを測定する技術としては、例えば、カメラに備えられている距離センサによって計測されたレンズ位置から被写体までの距離と、ディスプレイ上に表示されている被写体の任意部分と、レンズの撮影画角に基づいて被写体の実際寸法を測定するようにしたデジタルカメラが知られている（特許文献１参照）。また、水中カメラの焦点距離と、水中カメラに一体化されている送受波器によって捕らえられた魚までの距離に基づいて魚影の実際の大きさを表示画面上で求めるようにした魚種判別装置が知られている（特許文献２参照）。
【特許文献１】特開平１１−３４４３１１号公報
【特許文献２】特開平５−３１２９４７号公報
【発明の開示】
【発明が解決しようとする課題】
【０００３】
しかしながら、上述した被写体の実際寸法を測定するデジタルカメラや魚影の実際の大きさを測定する魚種判別装置にあっては、比較的高精度の測定結果を得ることができるが、距離センサあるいは送受波器を設けて、カメラ位置から被写体までの距離を計測することを前提とすると共に、サイズ測定の対象となる被写体に焦点を合わせた状態で撮影することを前提とするものであり、被写体のサイズを測定する毎に、被写体に焦点を合わせながら被写体毎に１枚ずつ撮影する必要があった。
【０００４】
第１の発明の課題は、距離センサを使用しなくても、サイズ測定の対象となる被写体とこの測定対象と比較される基準対象の被写体との前後関係（遠近関係）を考慮しながら撮影画像を解析することによって測定対象の実サイズを測定できるようにすることである。
第２の発明の課題は、距離センサを使用しなくても、撮影画像内の被写体である測定対象と基準対象とを比較しながら撮影画像を解析することによって測定対象の実サイズを測定可能であると共に、測定対象と基準対象とが前後関係にあるか否かに応じて測定対象の実サイズを適切に測定できるようにすることである。
【課題を解決するための手段】
【０００５】
請求項１記載の発明（第１の発明）は、撮影画像の中に含まれている被写体の実サイズを測定するサイズ測定装置であって、撮影画像内の被写体をサイズ測定の対象となる測定対象として指定する他、この撮影画像内に存在する複数の他の被写体を前記測定対象と比較される基準対象として指定する指定手段と、撮影画像内において前記指定された測定対象と複数の基準対象との間における前後方向の遠近距離をそれぞれ計測する計測手段と、前記指定された複数の基準対象毎にその実サイズを取得する取得手段と、撮影画像を解析することによって測定対象、基準対象毎にその画像サイズを算出すると共に、この各算出サイズと各遠近距離と各基準対象の実サイズに基づいて測定対象の実サイズを算出する算出手段とを具備したことを特徴とする
更に、コンピュータに対して、上述した請求項１記載の発明に示した主要機能を実現させるためのプログラムを提供する（請求項１１記載の発明）。
【０００６】
なお、請求項１記載の発明は次のようなものであってもよい。
前記指定手段は、撮影画像を解析することによってその中心部分に位置している画像部分を測定対象として指定する（請求項２記載の発明）。
【０００７】
前記指定手段は、撮影画像内に含まれている各被写体のうち、予め記憶管理されている複数種の基準対象の何れかに特徴的に一致する複数の被写体を検索することによって、少なくとも２つの基準対象を指定する（請求項３記載の発明）。
この場合、前記指定手段は、撮影画像が展開されている平面座標系においてその縦方向の位置が相違して遠近の関係にある２つの基準対象を指定する（請求項４記載の発明）。また、前記指定手段は、遠近関係にある２つの基準対象を指定する際に、同一の基準対象あるいは略同一サイズを持った基準対象をそれぞれ指定する（請求項５記載の発明）。
【０００８】
前記計測手段は、測定対象と複数の基準対象との間における前後方向の遠近距離を計測する際に、撮影画像が展開されている平面座標系においてその縦方向の垂直成分を遠近距離として計測する（請求項６記載の発明）。この場合、前記計測手段は、遠近関係にある２つの基準対象のうち、その一方の基準対象と測定対象との間の遠近距離および他方の基準対象と測定対象との間の遠近距離を計測するか、一方の基準対象と測定対象との間の遠近距離および各基準対象間の遠近距離を計測する（請求項７記載の発明）。
【０００９】
予め複数種の基準対象に対応してその実サイズが記憶管理されている状態において、前記取得手段は、前記指定された基準対象に対応する実サイズを読み出し取得する（請求項８記載の発明）。
【００１０】
撮影画像を解析することによって前記指定された測定対象と複数の基準対象との前後関係を判別する判別手段を設け、この判別手段によって判別された前後関係に対応する計算式に従って前記算出手段は、測定対象の実サイズを算出する（請求項９記載の発明）。
【００１１】
測定対象が含まれている撮影画像が表示されている状態において、この撮影画像内に当測定対象に対応付けてその実サイズを表示する（請求項１０記載の発明）。
【００１２】
請求項１２記載の発明（第２の発明）は、撮影画像の中に含まれている被写体の実サイズを測定するサイズ測定装置であって、撮影画像内の被写体をサイズ測定の対象となる測定対象として指定する他、この測定対象と比較される基準対象を指定する指定手段と、撮影画像を解析することによって前記指定された測定対象と基準対象とが撮影画像内において前後関係にあるかを判別する判別手段と、この判別手段によって前後関係がないことが判別された場合には、基準対象の実サイズを取得すると共に、撮影画像を解析することによって測定対象、基準対象毎にその画像サイズを算出し、この各算出サイズと基準対象の実サイズに基づいて当該測定対象の実サイズを算出する第1の算出手段と、前記判別手段によって前後関係があることが判別された場合には、撮影画像内において前記指定された測定対象と基準対象との間における前後方向の遠近距離をそれぞれ計測し、基準対象毎にその実サイズを取得し、撮影画像を解析することによって測定対象、基準対象毎にその画像サイズを算出し、この各算出サイズと各遠近距離と基準対象の実サイズに基づいて測定対象の実サイズを算出する第２の算出手段とを具備したことを特徴とする
更に、コンピュータに対して、上述した請求項１２記載の発明に示した主要機能を実現させるためのプログラムを提供する（請求項１５記載の発明）。
【００１３】
なお、請求項１２記載の発明は次のようなものであってもよい。
前記指定手段は、撮影画像内に含まれている各被写体のうち、予め記憶管理されている複数種の基準対象の何れかに特徴的に一致する被写体の画像部分を基準対象として指定する（請求項１３記載の発明）。
【００１４】
撮影画像を解析することによって前記指定された測定対象と基準対象との前後関係を判別し、この前後関係に対応する計算式に従って前記算出手段は、測定対象の実サイズを算出する（請求項１４記載の発明）
【発明の効果】
【００１５】
請求項１記載の発明によれば、撮影画像内の被写体をサイズ測定の対象となる測定対象として指定されていると共に、この撮影画像内に存在する複数の他の被写体を測定対象と比較される基準対象として指定されている状態において、撮影画像内において測定対象と複数の基準対象との間における前後方向の遠近距離をそれぞれ計測すると共に、指定された複数の基準対象毎にその実サイズを取得し、更に、撮影画像を解析することによって測定対象、基準対象毎にその画像サイズを算出し、この各算出サイズと各遠近距離と各基準対象の実サイズに基づいて測定対象の実サイズを算出するようにしたから、距離センサを使用しなくても、サイズ測定の対象となる被写体とこの測定対象と比較される基準対象の被写体との前後関係（遠近関係）を考慮しながら撮影画像を解析することによって測定対象の実サイズを測定することができる。
この場合、撮影時に限らず、画像の再生時でもサイズ測定を行うことができるので、必要に応じて何時でも自由にサイズ測定が可能となる。従って、このサイズ測定装置をデジタルカメラに組み込む場合に限らず、パーソナルコンピュータ等の画像データ処理装置に組み込むことも可能となるなど、その活用範囲を広げ、各種用途に使用可能となる。なお、撮影画像内において複数の測定対象が指定された場合には、各測定対象毎にその実サイズを測定することができる。
【００１６】
請求項２記載の発明によれば、上述した請求項１記載の発明と同様の効果を有する他、撮影画像を解析することによってその中心部分に位置している画像部分を測定対象として指定するようにしたから、画像解析によって測定対象の自動指定が可能となり、特別な指定操作が不要となると共に、測定対象を確実に指定することが可能となる。
【００１７】
請求項３記載の発明によれば、上述した請求項１記載の発明と同様の効果を有する他、撮影画像内に含まれている各被写体のうち、予め記憶管理されている複数種の基準対象の何れかに特徴的に一致する複数の被写体を検索することによって少なくとも２つの基準対象を指定するようにしたから、撮影画像の解析で複数の基準対象の自動指定が可能となり、特別な操作が不要となると共に、基準対象を確実に指定することが可能となる。
この場合、撮影画像が展開されている平面座標系においてその縦方向の位置が相違して遠近の関係にある２つの基準対象を指定したり（請求項４記載の発明）、遠近関係にある２つの基準対象を指定する際に、同一の基準対象あるいは略同一サイズを持った基準対象をそれぞれ指定するようにしたから（請求項５記載の発明）、測定対象の実サイズを簡単に算出することが可能となる。
【００１８】
また、測定対象と複数の基準対象との間における前後方向の遠近距離を計測する際に、撮影画像が展開されている平面座標系においてその縦方向の垂直成分を遠近距離として計測したり（請求項６記載の発明）、遠近関係にある２つの基準対象のうち、その一方の基準対象と測定対象との間の遠近距離および他方の基準対象と測定対象との間の遠近距離を計測するか、一方の基準対象と測定対象との間の遠近距離および各基準対象間の遠近距離を計測するようにしたから（請求項７記載の発明）、測定対象の実サイズを簡単に算出することが可能となる。
【００１９】
請求項８記載の発明によれば、上述した請求項１記載の発明と同様の効果を有する他、予め複数種の基準対象に対応してその実サイズが記憶管理されている状態において、前記取得手段は、前記指定された基準対象に対応する実サイズを読み出し取得するようにしたから、基準対象の実サイズの自動取得が可能となり、特別な操作が不要となる。
【００２０】
請求項９記載の発明によれば、上述した請求項１記載の発明と同様の効果を有する他、撮影画像を解析することによって測定対象と複数の基準対象との前後関係を判別すると共に、判別された前後関係に対応する計算式に従って測定対象の実サイズを算出するようにしたから、測定対象の実サイズを簡単に算出することができる。
【００２１】
請求項１０記載の発明によれば、上述した請求項１記載の発明と同様の効果を有する他、測定対象が含まれている撮影画像が表示されている状態において、この撮影画像内に当測定対象に対応付けてその実サイズを表示するようにしたから、撮影画像内でサイズ確認を行いながらその測定対象を見ることができると共に、測定対象とその実サイズとの対応関係が明瞭となる。
【００２２】
請求項１２記載の発明によれば、撮影画像内において測定対象が指定されていると共に、基準対象が指定されている状態において、撮影画像を解析することによって測定対象と基準対象とが撮影画像内において前後関係にあるかを判別し、前後関係がない場合には、測定対象、基準対象の画像サイズと基準対象の実サイズに基づいて当該測定対象の実サイズを算出し、前後関係がある場合には、撮影画像内において測定対象と基準対象との間における前後方向の遠近距離をそれぞれ計測し、測定対象、基準対象の画像サイズと各遠近距離と基準対象の実サイズに基づいて測定対象の実サイズを算出するようにしたから、距離センサを使用しなくても、撮影画像内の被写体である測定対象と基準対象とを比較しながら撮影画像を解析することによって測定対象の実サイズを測定可能であると共に、測定対象と基準対象とが前後関係にあるか否かに応じて測定対象の実サイズを適切に測定することができる。更に、撮影時に限らず、画像の再生時でもサイズ測定を行うことができるので、必要に応じて何時でも自由にサイズ測定が可能となる。なお、撮影画像内において複数の測定対象が指定された場合には、各測定対象毎にその実サイズを測定することができる。
【００２３】
請求項１３記載の発明によれば、上述した請求項１２記載の発明と同様の効果を有する他、撮影画像内に含まれている各被写体のうち、予め記憶管理されている複数種の基準対象の何れかに特徴的に一致する被写体の画像部分を基準対象として指定するようにしたから、撮影画像を解析することによって基準対象の自動指定が可能となり、特別な指定操作が不要となると共に、基準対象を確実に指定することが可能となる。
【００２４】
請求項１４記載の発明によれば、上述した請求項１２記載の発明と同様の効果を有する他、撮影画像を解析することによって測定対象と基準対象との前後関係を判別し、この前後関係に対応する計算式に従って測定対象の実サイズを算出するようにしたから、測定対象の実サイズを簡単に算出することができる。
【発明を実施するための最良の形態】
【００２５】
以下、図１〜図１４を参照して本発明の実施例を説明する。
図１は、この実施例におけるデジタルカメラの基本的構成要素を示したブロック図である。
このデジタルカメラは、撮影画像（モニタ画像）内に含まれている被写体の実サイズを測定可能なもので、被写体を実撮影する前に被写体サイズの測定が指示された際、モニタ撮影したデジタル画像を解析することによってその実サイズを測定してモニタ画面に表示するサイズ測定機能を有している。この場合、距離センサを使用しなくても、撮影画像内の被写体である測定対象と基準対象とを比較しながら撮影画像を解析することによって測定対象の実サイズを測定するようにしている。
なお、この実施例の特徴部分を詳述する前に、この実施例のハードウェア上の構成について以下、説明しておく。
【００２６】
ＣＰＵ１は、記憶部２内のオペレーティングシステムや各種アプリケーションソフトに従ってこのデジタルカメラの全体動作を制御する中央演算処理装置である。記憶部２は、ハードディスク等の固定的なメモリであり、プログラム記憶領域とデータ記憶領域とを有している。この記憶部２内のプログラム記憶領域には、後述する図８および図１１に示す動作手順に従って本実施例を実現する為のアプリケーションプログラムが格納され、また、データ記憶領域には、後述する図５に示すデータ（基準対象テーブル）が格納されている。このプログラムやデータは、必要に応じてワークメモリ３にロードされたり、このワークメモリ３内のデータが記憶部２にセーブされる。なお、記録媒体４は、ＤＶＤ等の着脱自在なメモリであり、記憶部２やワークメモリ３との間においてプログラムや画像データ等の受け渡しを行う。
【００２７】
一方、ＣＰＵ１には、その入出力周辺デバイスである操作部５、表示部６、カメラ撮影部７、画像メモリ８がバスラインを介して接続されており、入出力プログラムに従ってＣＰＵ１は、これらの入出力デバイスの動作制御を行う。操作部５は、シャッターボタン、撮影モード／再生モードに切り換えるモードボタン、サイズ測定の開始を指示するサイズ測定ボタン等の各種のファンクションボタンを有し、その操作信号はＣＰＵ１へ与えられる。表示部６は、例えば、タッチパネル付きの液晶表示部であり、モニタ画面／ファインダ画面／画像再生画面として使用される。カメラ撮影部７は、撮影レンズ、ミラー等のレンズ・ミラーブロック、ＣＣＤイメージセンサ等の撮像素子、その駆動系等を備え、撮影毎に、撮影画像を画像メモリ８へ順次転送するもので、ＣＰＵ１は、撮影方向（レンズの指向方向）やズーム機構を調整制御したり、オートフォーカス時の駆動制御、シャッター駆動制御、シャッター速度、露出、ホワイトバランス等を制御したり、撮影画像の取り込みを行う。
【００２８】
ＣＰＵ１は、撮影モード時においてサイズ測定ボタンが操作された際に、サイズ測定機能を起動させることによってモニタ画像内に含まれている被写体の実サイズを測定表示するようにしている。
ここで、図２に示すように、モニタ画像内の各被写体のうち、被写体Ｘをサイズ測定の対象となる測定対象とし、他の１つの被写体Ａをこの測定対象Ｘと比較される基準対象とすると、ＣＰＵ１は、このモニタ画像を解析することによって測定対象Ｘおよび基準対象Ａを自動指定するようにしている。この場合、ＣＰＵ１は、モニタ画像の中心部分に位置している被写体を測定対象Ｘとして自動指定し、測定対象Ｘに対して略横並びの状態にある被写体を基準対象Ａとして自動指定する。従って、測定対象Ｘと基準対象Ａとは、遠近の関係（前後関係）にはなく、それぞれ略横並びの状態、つまり、撮影位置（レンズ位置）から測定対象までの距離と、撮影位置から基準対象までの距離が略同一の状態にある。
【００２９】
この場合、ＣＰＵ１は、基準対象Ａの実際の大きさを示す実サイズ（例えば、縦寸法）Ｊ１を取得した後、測定対象Ｘ、基準対象Ａ毎にその画像サイズ（例えば、縦寸法）Ｇ１、Ｇ０を算出し、この測定対象Ｘ、基準対象Ａの算出サイズＧ１、Ｇ０と基準対象の実サイズＪ１に基づいて測定対象Ｘの実サイズＪ０を算出するようにしている。これによって算出された測定対象Ｘの実サイズＪ０は、モニタ画面内において測定対象Ｘに対応付けて付加表示される。
【００３０】
図３は、モニタ画像内の各被写体が略横並び状態にはない場合において、測定対象Ｘに対して遠近の関係（前後関係）にある他の２つの被写体Ａ、Ｂが基準対象として自動指定することを示している。すなわち、モニタ画像内の各被写体のうち、測定対象Ｘに対して他の被写体が略横並びの状態にはない場合に、ＣＰＵ１は、上述の場合と同様に、モニタ画像の中心部分に位置している被写体を測定対象Ｘとして自動指定するが、その際、測定対象Ｘに対して遠近の関係（前後関係）にある他の２つの被写体Ａ、Ｂを基準対象として自動指定するようにしている。言い換えれば、モニタ画像が展開されている平面座標系においてその縦方向の位置が異なる遠近関係の２つの基準対象Ａ、Ｂを自動指定するようにしているが、その際、２つの同一の基準対象（位置が異なる同一種類の被写体）がモニタ画像に含まれていることを条件に基準対象の指定を行うようにしている。
【００３１】
この場合、ＣＰＵ１は、撮影画像を解析することによって測定対象Ｘと各基準対象Ａ、Ｂとの位置関係（前後関係）を判別し、この前後関係に対応する計算式に従って測定対象Ｘの実サイズを算出するようにしている。
図４〜図６は、測定対象Ｘと各基準対象Ａ、Ｂとの位置関係（前後関係）を示すと共に、この前後関係に応じて予め用意されている計算式に従って測定対象Ｘの実サイズが算出されることを示している。ここで、図４は、測定対象Ｘが基準対象Ａ、Ｂの真中に位置している場合を示し、第１計算式に従って測定対象Ｘの実サイズが算出される。図５は、測定対象Ｘが基準対象Ａ、Ｂよりも後方に位置している場合を示し、第２計算式に従って測定対象Ｘの実サイズが算出される。図６は、測定対象Ｘが基準対象Ａ、Ｂよりも手前に位置している場合を示し、第３計算式に従って測定対象Ｘの実サイズが算出される。
なお、この実施例においては、測定対象Ｘと各基準対象Ａ、Ｂとの前後関係に応じてＣＰＵ１は、対応する第１〜第３計算式を選択するようにしているが、第１計算式（基本式）のみを記憶管理しておき、この基本式を変形することによって第２計算式、第３計算式を得るようにしてもよい。
【００３２】
図４〜図６内の各計算式において、上述したように、「Ｊ１」は基準対象Ａの実サイズ、「Ｇ１」は基準対象Ａの画像サイズ、「Ｇ０」は測定対象Ｘの画像サイズ、「Ｊ０」は測定対象Ｘの実サイズを示している。更に、「Ｊ２」は基準対象Ｂの実サイズ、「Ｇ２」は基準対象Ｂの画像サイズを示している。
「ｈ１」および「ｈ２」は、測定対象Ｘと各基準対象Ａ、Ｂとの間における前後方向の遠近距離を示したもので、ＣＰＵ１は、モニタ画像が展開されている平面座標系においてその縦方向の垂直成分を遠近距離「ｈ１」、「ｈ２」として計測するようにしている。この場合、遠近距離「ｈ１」は、基準対象Ａの下端部を基点として基準対象Ａから測定対象Ｘの下端部までの垂直成分の距離を示し、また、遠近距離「ｈ２」は、基準対象Ｂの下端部を基点として基準対象Ｂから測定対象Ｘの下端部までの垂直成分の距離を示している。
【００３３】
図７は、基準対象テーブル１１の内容を示した図である。
この基準対象テーブル１１は、予め任意に登録された基準対象毎にその実サイズデータを記憶管理する構成となっている。「基準対象」は、上述したようにサイズ測定時において測定対象と比較される基準対象の画像であり、実際のサイズが分かっている被写体を予め任意に撮影登録したもので、例えば、特定人物、道路標識、郵便ポスト、消火栓、建物やその窓枠などの撮影画像である。この場合、ＣＰＵ１は、撮影画像を解析することによってその中に含まれている基準対象を自動特定する際に、この基準対象テーブル１１に登録されている複数種の「基準対象」の何れかに特徴的に一致する被写体の画像部分を基準対象として特定するようにしている。その際、２つの同一の基準対象（例えば、位置が異なる郵便ポスト）がモニタ画像に含まれていることを条件に基準対象の指定を行う。
【００３４】
「実サイズデータ」は、その「縦寸法」、「横寸法」、奥行き寸法」に対応する方向別の実サイズに分けられており、ＣＰＵ１は、この方向別の実サイズの中から予め任意に選択指定されている方向の実サイズを読み出すようにしている。つまり、「縦寸法」、「横寸法」、奥行き寸法」のうち、どの方向の実サイズを読み出すかは、予め任意に選択指定可能となっており、ＣＰＵ１は、この指定内容を参照することによって該当する方向の実サイズを読み出すようにしている。なお、基準対象の種類によっては、その「縦寸法」、「横寸法」、奥行き寸法」の何れか１つを登録するようにしてもよい。
【００３５】
次に、この実施例におけるデジタルカメラの動作概念を図８〜図１１に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体の他に、伝送媒体を介して外部供給されたプログラム／データを利用してこの実施例特有の動作を実行することもできる。
【００３６】
図８は、デジタルカメラの全体動作の概要を示したフローチャートであり、電源投入に応じて実行開始される。
先ず、ＣＰＵ１は、撮影モードにセットされている状態において（ステップＡ１）、モニタ画像を逐次取り込んで（ステップＡ２）、モニタ画面に動画として表示させる（ステップＡ３）。この状態において、ボタン操作の有無をチェックし（ステップＡ４）、何れのボタンも操作されなければ（ステップＡ４でＮＯ）、モニタ画像の取り込みに戻るが（ステップＡ２）、いま、シャッターボタンが操作された際には（ステップＡ５）、その時の撮影画像を画像ファイルとして記録保存した後（ステップＡ６）、モニタ画像の取り込みに戻る（ステップＡ２）。
【００３７】
一方、撮影モードから再生モードに切り換えられた際には（ステップＡ７）、ユーザ指示に従って記録画像を順方向／逆方向へ選択指定しながら順次再生表示させる再生処理を行う（ステップＡ８）。その後、再生モードから撮影モードに切り換えられた際には（ステップＡ９）、モニタ画像を取り込む処理に戻る（ステップＡ２）。ここで、撮影モードにおいて、サイズ測定ボタンが操作された際には（ステップＡ１０）、モニタ画像内に含まれている測定対象の実サイズを測定するサイズ測定処理に移る（ステップＡ１１）。
【００３８】
図９〜図１１は、撮影モード時にサイズ測定ボタンの操作に応じて実行されるサイズ測定処理を詳述したフローチャートである。
先ず、ＣＰＵ１は、測定対象の撮影に関する注意事項（測定対象を中央に写してシャッター操作を行う旨のメッセージ）を表示する測定開始画面（図１２参照）を表示させた後（ステップＢ１）、モニタ画像を取得してモニタ表示させる（ステップＢ２）。この状態において、シャッターボタンの有無をチェックし（ステップＢ３）、シャッター操作がなければ、ステップＢ２に戻るが、シャッター操作された際には、現在のモニタ画像を固定表示すると共に（ステップＢ４）、この固定モニタ画像内でその中心部分に位置している被写体画像を測定対象として特定する（ステップＢ５）。
【００３９】
そして、この測定対象に対して略横並びの状態にある他の被写体の画像部分を抽出し、この抽出画像に基づいて基準対象テーブル１１を検索し（ステップＢ６）、何れかの基準対象に特徴的に一致するかをチェックする（ステップＢ７）。ここで、測定対象に対して略横並びの状態にある被写体が何れかの基準対象と一致する場合には（ステップＢ７でＹＥＳ）、図１０の第１測定処理に移るが、測定対象に対して略横並びの状態にある被写体が存在しない場合あるいは略横並びの被写体が存在していても基準対象テーブル１１に登録されていない場合には（ステップＢ７でＮＯ）、次のステップＢ８に移る。
【００４０】
このステップＢ８では、モニタ画像内において測定対象に対し前後（遠近）関係にある複数（２つ）の被写体の画像部分を抽出し、各抽出画像に基づいて基準対象テーブル１１を検索し、抽出画像の各々が何れかの基準対象に特徴的に一致するかをチェックする（ステップＢ９）。この場合、前後（遠近）関係にある２つの同一の被写体（例えば、郵便ポスト）がモニタ画像に含まれていることを条件に２つの郵便ポストを基準対象として検索指定する。ここで、該当する基準対象が検索された場合には（ステップＢ９でＹＥＳ）、図１１の第２測定処理に移るが、測定対象に対して前後関係にある同一の２つの被写体が存在しない場合あるいは前後関係の被写体が存在していても各被写体が基準対象テーブル１１に登録されていない場合には（ステップＢ９でＮＯ）、測定不可メッセージを表示すると共に（ステップＢ１０）、モニタ画像の固定表示を解除した後に通常の状態に戻る（ステップＢ１１）。
【００４１】
図１０の第１測定処理が開始されると、ＣＰＵ１は、上述のステップＢ６で検索した基準対象の実サイズＪ１を基準対象テーブル１１から読み出し取得する（ステップＢ１２）。そして、モニタ画像を解析することによって基準対象の画像サイズ「Ｇ１」を計測すると共に（ステップＢ１３）、測定対象の画像サイズ「Ｇ０」を計測する（ステップＢ１４）。なお、この画像サイズ「Ｇ０」、「Ｇ１」は、ＣＣＤ等のイメージセンサ上のサイズであり、その有効領域全体の横／縦の寸法と、その全体の横／縦ドットサイズに基づいて縦方向における１ドット当たりの寸法（縦ピッチ）／横方向における１ドット当たり寸法（横ピッチ）を求め、このドットピッチに基づいてサイズ情報に換算された値である。
【００４２】
これによって基準対象の実サイズＪ１および画像サイズＧ１と、測定対象の画像サイズＧ０が全て揃ったらこれらの値をパラメータとして測定対象の実サイズＪ０を求める算出処理を行う（ステップＢ１５）。この場合、測定対象の実サイズは、次の式に従って算出される。
測定対象の実サイズ「Ｊ０」＝Ｇ０／Ｇ１＊Ｊ１
【００４３】
このようにして算出された測定対象の実サイズは、画像サイズの比率に基準対象の実サイズを乗算した値となるが、この場合、測定対象と基準対象とが略横並び状態にあることを前提としている。言い換えれば、撮影位置から測定対象（建物）までの距離と、基準対象（人物）までの距離が略同一であることを前提としたものであり、その算出値はおおよそのサイズとなる。そして、モニタ画像内の測定対象を囲む枠を生成して枠表示を行うと共に、その実サイズを枠表示の近傍に付加表示する（ステップＢ１６）。図１３は、第１の測定処理によって得られた実サイズが付加表示されている状態のモニタ画面を示した図で、郵便ポストを基準対象として測定対象（樹木）の縦寸法（３ｍ４０ｃｍ）が算出表示された場合を示している。その後、操作待ち状態となり（ステップＢ１７）、リターンキーが操作された場合には、モニタ画像の固定表示を解除した後、通常の状態に戻る（ステップB１８）。
【００４４】
図１１の第２測定処理が開始されると、ＣＰＵ１は、上述のステップＢ８で検索した２つの基準対象を指定した後（ステップＢ１９）、その何れか一方を第１の基準対象（図４〜図６で示した基準対象Ａ）として、その実サイズ「Ｊ１」を基準対象テーブル１１から読み出し取得すると共に（ステップＢ２０）、モニタ画像上において第１基準対象の画像サイ「Ｇ１」を計測する（ステップＢ２１）。同様に、他方の基準対象を第２の基準対象（図４〜図６で示した基準対象Ｂ）として、その実サイズ「Ｊ２」を基準対象テーブル１１から読み出し取得すると共に（ステップＢ２２）、モニタ画像上において第２基準対象の画像サイ「Ｇ２」を計測する（ステップＢ２３）。更に、モニタ画像上において測定対象の画像サイ「Ｇ０」を計測する（ステップＢ２４）。なお、この画像サイズ「Ｇ０」、「Ｇ１」、「Ｇ２」は、ＣＣＤ等のイメージセンサ上のサイズであり、その有効領域全体の横／縦の寸法と、その全体の横／縦ドットサイズに基づいて縦方向における１ドット当たりの寸法（縦ピッチ）／横方向における１ドット当たり寸法（横ピッチ）を求め、このドットピッチに基づいてサイズ情報に換算された値である。
【００４５】
次に、モニタ画像内において第１基準対象から測定対象までの垂直成分の距離を計測する（ステップＢ２５）。この場合、図４〜図６に示すように基準対象Ａの下端部から測定対象Ｘの下端部までの距離ｈ１を計測する。更に、モニタ画像内において第２基準対象から測定対象までの垂直成分の距離を計測する（ステップＢ２６）。この場合、図４〜図６に示すように基準対象Ｂの下端部から測定対象Ｘの下端部までの距離ｈ２を計測する。
これによって各基準対象Ａ、Ｂの実サイズＪ１、Ｊ２とその画像サイズＧ１、Ｇ２、測定対象Ｘの画像サイズＧ０、基準対象Ａから測定対象Ｘまでの距離ｈ１、基準対象Ｂから測定対象Ｘまでの距離ｈ２が全て揃った段階で、これらの値をパラメータとして測定対象Ｘの実サイズＪ０を求める算出処理を行う。
【００４６】
この場合、ＣＰＵ１は、モニタ画像を解析することによって測定対象と各基準対象との位置関係（前後関係）を判別する（ステップＢ２７）。いま、図４に示すように測定対象が各基準対象の真中に位置している場合には（ステップＢ２８でＹＥＳ）、図４に示した第１計算式（基本式）を選択して（ステップＢ２９）、測定対象Ｘの実サイズＪ０を求める（ステップＢ３３）。
Ｊ０＝Ｇ０＊（ｈ２／（ｈ１＋ｈ２）＊Ｊ１／Ｇ１＋ｈ１／（ｈ１＋ｈ２）＊Ｊ２／Ｇ２）
【００４７】
また、図５に示すように測定対象が各基準対象よりも後方に位置している場合には（ステップＢ３０でＹＥＳ）、図５に示した第２計算式を選択して（ステップＢ３１）、測定対象Ｘの実サイズＪ０を求める（ステップＢ３３）。なお、この第２計算式は、上述の第１計算式を基本式として変形したものである。
Ｊ０＝Ｇ０＊（Ｊ１／Ｇ１＊ｈ２／（ｈ２−ｈ１）−Ｊ２／Ｇ２＊ｈ１／（ｈ２−ｈ１））
また、図６に示すように測定対象が各基準対象よりも前方に位置している場合には（ステップＢ３０でＮＯ）、図６に示した第３計算式を選択して（ステップＢ３２）、測定対象Ｘの実サイズＪ０を求める（ステップＢ３３）。なお、この第３計算式は、上述の第１計算式を基本式として変形したものである。
Ｊ０＝Ｇ０＊（Ｊ２／Ｇ２＊ｈ１／（ｈ１−ｈ２）−Ｊ１／Ｇ１＊ｈ２／（ｈ１−ｈ２））
【００４８】
このようにして測定対象の実サイズ（おおよその値）が算出されると、図１０のステップＢ１６に戻り、モニタ画像内の測定対象を囲む枠を生成して枠表示を行うと共に、その実サイズを枠表示の近傍に付加表示する。図１４は、第２測定処理によって得られた実サイズが付加表示されている状態のモニタ画面を示した図である。この場合、距離的に離れている郵便ポストを基準対象として、その真中に位置している測定対象（樹木）の縦寸法（３ｍ４０ｃｍ）が上述した第１計算式に従って算出されて表示された状態を示している。この状態において、リターンキーの操作に応答し（ステップＢ１７）、モニタ画像の固定表示を解除した後に通常の状態に戻る（ステップB１８）。
【００４９】
以上のように、この実施例においては、カメラ撮影部７によって撮影されたモニタ画像内の被写体が測定対象として指定されていると共に、このモニタ画像内に存在する複数の他の被写体が基準対象として指定されている状態において、ＣＰＵ１は、モニタ画像内において測定対象と複数の基準対象との間における前後方向の遠近距離をそれぞれ計測すると共に、指定された複数の基準対象毎にその実サイズを取得し、更に、モニタ画像を解析することによって測定対象、基準対象毎にその画像サイズを算出し、この各算出サイズと各遠近距離と各基準対象の実サイズに基づいて測定対象の実サイズを算出するようにしたから、距離センサを使用しなくても、サイズ測定の対象となる被写体とこの測定対象と比較される基準対象の被写体との前後関係（遠近関係）を考慮しながら撮影画像を解析することによって測定対象の実サイズを測定することができる。
【００５０】
この場合、ＣＰＵ１は、モニタ画像を解析することによってその中心部分に位置している画像部分を測定対象として指定するようにしたから、画像解析によって測定対象の自動指定が可能となり、特別な操作が不要となると共に、測定対象を確実に指定することが可能となる。また、モニタ画像内に含まれている各被写体のうち、基準対象テーブル１１に登録されている複数種の基準対象の何れかに特徴的に一致する複数の被写体を検索することによって少なくとも２つの基準対象を指定するようにしたから、モニタ画像の解析で複数の基準対象の自動指定が可能となり、特別な操作が不要となると共に、基準対象を確実に指定することが可能となる。この場合、基準対象テーブル１１には、基準対象に対応してその実サイズが記憶管理されているので、基準対象の実サイズの自動取得が可能となり、特別な操作が不要となる。
【００５１】
この際、モニタ画像が展開されている平面座標系においてその縦方向の位置が相違して遠近の関係にある２つの基準対象を指定したり、また、遠近関係にある２つの基準対象を指定する際に、同一の基準対象をそれぞれ指定するようにしたから、測定対象の実サイズを簡単に算出することが可能となる。更に、測定対象と複数の基準対象との間における前後方向の遠近距離を計測する際に、モニタ画像が展開されている平面座標系においてその縦方向の垂直成分を遠近距離として計測したり、遠近関係にある２つの基準対象のうち、その一方の基準対象と測定対象との間の遠近距離および他方の基準対象と測定対象との間の遠近距離を計測するようにしたから、測定対象の実サイズを簡単に算出することが可能となる。
【００５２】
また、ＣＰＵ１は、モニタ画像を解析することによって測定対象と複数の基準対象との前後関係を判別すると共に、判別された前後関係に対応する計算式に従って測定対象の実サイズを算出するようにしたから、測定対象の実サイズを簡単に算出することができる。この場合、測定対象が含まれているモニタ画像が表示されている状態において、このモニタ画像内に当測定対象に対応付けてその実サイズを表示するようにしたから、モニタ画像内でサイズ確認を行いながらその測定対象を見ることができると共に、測定対象とその実サイズとの対応関係が明瞭となる。
【００５３】
一方、モニタ画像内において測定対象が指定されていると共に、基準対象が指定されている状態において、ＣＰＵ１は、モニタ画像を解析することによって測定対象と基準対象とがモニタ画像内において前後関係にあるかを判別し、前後関係がない場合には、第１測定処理を実行し、測定対象、基準対象の画像サイズと基準対象の実サイズに基づいて当該測定対象の実サイズを算出し、また、前後関係がある場合には、第１測定処理を実行し、測定対象と基準対象との間における前後方向の遠近距離をそれぞれ計測し、測定対象、基準対象の画像サイズと遠近距離と基準対象の実サイズに基づいて測定対象の実サイズを算出するようにしたから、距離センサを使用しなくても、測定対象と基準対象とを比較しながらモニタ画像を解析することによって測定対象の実サイズを測定可能であると共に、測定対象と基準対象とが前後関係にあるか否かに応じて測定対象の実サイズを適切に測定することができる。
【００５４】
なお、上述した実施例においては、遠近関係にある２つの基準対象を指定する際に、同一の基準対象（距離がことなる郵便ポスト）を検索指定するようにしたが、略同一サイズを持った基準対象をそれぞれ指定するようにしてもよい。
また、上述した実施例においては、基準対象Ａの下端部を基点として基準対象Ａから測定対象Ｘの下端部までの垂直成分の距離「ｈ１」と、基準対象Ｂの下端部を基点として基準対象Ｂから測定対象Ｘの下端部までの垂直成分の距離「ｈ２」を計測するようにしたが、例えば、一方の基準対象と測定対象との間の距離と各基準対象間の距離を計測するようにしてもよい。
【００５５】
なお、上述した実施例においては、モニタ画像を解析することによって測定対象、基準対象を自動特定するようにしたが、モニタ画面上において撮影者が、測定対象、基準対象を任意に指定するようにしてもよい。この場合、タッチパネル付きのモニタ画面上で任意の位置がタッチ指定（ポイント指定）された際に、その指定ポイントでの画像の連続性などを考慮して測定対象あるいは基準対象を特定するようにしてもよい。また、任意の測定対象あるいは基準対象をタッチ指定する際に、その輪郭に沿ってタッチ指定するようにすれば、測定対象あるいは基準対象を容易に特定することが可能となる。
【００５６】
また、上述した実施例においては、測定対象と基準対象とが同一平面上にある場合を想定したが、測定対象と基準対象との高さが異なる場合であっても、測定対象の実サイズを測定することができる。この場合、上述した実施例においては、モニタ画像内において測定対象および基準対象の大きさを特定するようにしたから、測定対象と基準対象との高さが異なっていても測定対象の実サイズを測定することが可能となる。
【００５７】
また、シャッター操作に応答して撮影画像を記録保存する際に、測定対象の実サイズを併せて記録保存するようにすれば、画像再生時にその撮影画像に対応付けられている測定対象の実サイズを読み出して表示することができる。更に、撮影画像毎にその測定対象の実サイズを付加して記録媒体に保存しておき、この記録媒体をパーソナルコンピュータ等の画像データ処理装置に投入して画像再生を行うようにすれば、撮影画像毎にその測定対象の実サイズを表示することができる。
【００５８】
上述した実施例においては、基準対象テーブル１１に複数種の基準対象の画像データを任意に登録するようにしたが、例えば、道路標識、郵便ポスト、消火栓などのように、そのサイズが固定しているものにあっては、それを撮影した撮影画像自体を登録せず、この比較基準の特徴的な情報（例えば、郵便ポストであれば、立方体、縦横比、全体が赤色）を登録するようにしてもよい。また、基準対象テーブル１１の内容は、製品購入時に設定登録されているものであってもよく、必要に応じてユーザが任意の基準対象とその実サイズを追加登録するようにしてもよい。
【００５９】
また、上述した実施例においては、デジタルカメラに適用した場合を示したが、パーソナルコンピュータ等の画像データ処理装置あるいはカメラ付き携帯電話や携帯情報機器などに組み込むようにしてもよく、各種用途にも使用可能である。例えば、建築現場、土木現場などで撮影を行った後、会社で画像再生を行いながら現場の状況を確認する際に、各撮影画像に基づいてその各部位の実サイズを測定表示するようにしてもよい。
その他、サイズ測定装置は、スタンドアロンタイプに限らず、その各構成要素が２以上の筐体に物理的に分離され、通信回線やケーブル等の有線伝送路あるいは電波、マイクロウエーブ、赤外線等の無線伝送路を介してデータを送受信する分散型のシステムであってもよい。
【００６０】
一方、コンピュータに対して、上述した各手段を実行させるためのプログラムコードをそれぞれ記録した記録媒体（例えば、ＣＤ−ＲＯＭ、フレキシブルディスク、ＲＡＭカード等）を提供するようにしてもよい。すなわち、コンピュータが読み取り可能なプログラムコードを有する記録媒体であって、撮影画像内の被写体をサイズ測定の対象となる測定対象として指定する他、この撮影画像内に存在する複数の他の被写体を前記測定対象と比較される基準対象として指定する機能と、撮影画像内において前記指定された測定対象と複数の基準対象との間における前後方向の遠近距離をそれぞれ計測する機能と、前記指定された複数の基準対象毎にその実サイズを取得する機能と、撮影画像を解析することによって測定対象、基準対象毎にその画像サイズを算出すると共に、この各算出サイズと各遠近距離と各基準対象の実サイズに基づいて測定対象の実サイズを算出する機能とを実現させるためのプログラムを記録したコンピュータが読み取り可能な記録媒体を提供するようにしてもよい。
【００６１】
また、コンピュータが読み取り可能なプログラムコードを有する記録媒体であって、撮影画像内の被写体をサイズ測定の対象となる測定対象として指定する他、この測定対象と比較される基準対象を指定する機能と、撮影画像を解析することによって前記指定された測定対象と基準対象とが撮影画像内において前後関係にあるかを判別する機能と、前後関係がないことが判別された場合には、基準対象の実サイズを取得すると共に、撮影画像を解析することによって測定対象、基準対象毎にその画像サイズを算出し、この各算出サイズと基準対象の実サイズに基づいて当該測定対象の実サイズを算出する機能と、前後関係があることが判別された場合には、撮影画像内において前記指定された測定対象と基準対象との間における前後方向の遠近距離をそれぞれ計測し、基準対象毎にその実サイズを取得し、撮影画像を解析することによって測定対象、基準対象毎にその画像サイズを算出し、この各算出サイズと遠近距離と基準対象の実サイズに基づいて測定対象の実サイズを算出する機能とを実現させるためのプログラムを記録したコンピュータが読み取り可能な記録媒体を提供するようにしてもよい。
【図面の簡単な説明】
【００６２】
【図１】デジタルカメラの基本的構成要素を示したブロック図。
【図２】モニタ画像上において、測定対象Ｘと基準対象Ａとが遠近の関係（前後関係）にはなく、それぞれ略横並びの状態にある場合を例示した図。
【図３】モニタ画像上において、測定対象Ｘと２つの基準対象Ａ、Ｂとが遠近の関係（前後関係）にある場合を例示した図。
【図４】測定対象Ｘが基準対象Ａ、Ｂの真中に位置している場合に、第１の計算式に従って測定対象Ｘの実サイズが算出されることを示した図。
【図５】測定対象Ｘが基準対象Ａ、Ｂよりも後方に位置している場合に、第２の計算式に従って測定対象Ｘの実サイズが算出されることを示した図
【図６】測定対象Ｘが基準対象Ａ、Ｂよりも手前に位置している場合に、第３の計算式に従って測定対象Ｘの実サイズが算出されることを示した図。
【図７】基準対象テーブル１１の内容を示した図。
【図８】電源投入に応じて実行開始されるデジタルカメラの全体動作の概要を示したフローチャート。
【図９】撮影モード時にサイズ測定ボタンの操作に応じて実行されるサイズ測定処理を詳述したフローチャート。
【図１０】図９のサイズ測定処理において実行される第１の測定処理を示したフローチャート。
【図１１】図９のサイズ測定処理において実行される第２の測定処理を示したフローチャート。
【図１２】測定開始画面を示した図。
【図１３】第１測定処理の実行後においてその測定結果の表示画面を示した図。
【図１４】第２測定処理の実行後においてその測定結果の表示画面を示した図。
【符号の説明】
【００６３】
１  ＣＰＵ
２  記憶部
４  記録媒体
５  操作部
６  表示部
７  カメラ撮影部
８  画像メモリ
１１  基準対象テーブル
Ｘ  測定対象
Ａ、Ｂ  基準対象
【図１】
2005189051.tif 000003
【図２】
2005189051.tif 000004
【図３】
2005189051.tif 000005
【図４】
2005189051.tif 000006
【図５】
2005189051.tif 000007
【図６】
2005189051.tif 000008
【図７】
2005189051.tif 000009
【図８】
2005189051.tif 000010
【図９】
2005189051.tif 000011
【図１０】
2005189051.tif 000012
【図１１】
2005189051.tif 000013
【図１２】
2005189051.tif 000014
【図１３】
2005189051.tif 000015
【図１４】
2005189051.tif 000016